(57)【要約】【課題】  車両を運転しながらでも、あるいは勉強やデスクワークをしながらでも、手や腕、足等に嵌めるだけで所望のマッサージ効果が得られるブレスレット型マッサージ具を提供することにある。【解決手段】  手、腕、足等に嵌めて使用するブレスレット型のマッサージ具であって、一端と他端を離間して対向させ、略Ｃ字状に湾曲させた基材と、前記基材の前記一端と前記他端にはそれぞれ押圧部が設けられており、前記一端と前記他端は、互いに接近する方向に付勢されている。【選択図】図１
0003129298.tif 000002
【実用新案登録請求の範囲】
【請求項１】
手、指、腕、足等に嵌めて使用するブレスレット型のマッサージ具であって、
基材を略Ｃ字状に湾曲させ、該基材の一端と他端を略対向させた本体と、
前記本体の前記一端と前記他端の少なくとも何れか一方に設けられた押圧部と、
前記押圧部は、前記一端と前記他端が互いに接近する方向に付勢されていることを特徴とするブレスレット型マッサージ具。
【請求項２】
前記基材は、ばね用ステンレス鋼線からなることを特徴とする請求項１のブレスレット型マッサージ具。
【請求項３】
前記基材には、略球体が数珠状に挿通されていることを特徴とする請求項１または請求項２のブレスレット型マッサージ具。
【考案の詳細な説明】
【技術分野】
【０００１】
本考案は、手、指、腕、足等に嵌めて使用するブレスレット型のマッサージ具に関する。
【背景技術】
【０００２】
従来のマッサージ具には、例えば特開平１０−２２５４９５号のような開く方向に付勢を有したハサミ体の先端部に、手や指のツボを刺激する突起を設け、該ツボを該突起で挟み込んで押しながらマッサージする器具があった。
【特許文献１】特開平１０−２２５４９５号
【考案の開示】
【考案が解決しようとする課題】
【０００３】
しかしながら前述のマッサージ具は、手や指のツボを突起で挟み込んで刺激しながらマッサージするためには、例えば片手で絶えず該マッサージ具を握って挟み込むという動作が必要のため、車両等を運転しながらとか、デスクで書き取り勉強をしながらとか、事務所でコンピューター入力作業をしながらということが、該マッサージ具では両手が塞がっているためにできなかった。
【０００４】
そこで本考案は、以上の課題を鑑み、何らかの作業をしながらでも簡単にしかも邪魔にならずマッサージができるというものを考案した。
【課題を解決するための手段】
【０００５】
前述の課題を解決するため、手、指、腕、足等に嵌めて使用するブレスレット型のマッサージ具であって、基材を略Ｃ字状に湾曲させ、該基材の一端と他端を略対向させた本体と、前記本体の前記一端と前記他端の少なくとも何れか一方に設けられた押圧部と、前記押圧部は、前記一端と前記他端が互いに接近する方向に付勢されているので、例えば手、指、腕、足等のツボに押圧部が当たるように略Ｃ字状の本体を開いて所定の位置に嵌めると、略Ｃ字状の本体は一端と他端が互いに接近する方向に付勢されているため、押圧部がツボを刺激してマッサージができるというものである。
【０００６】
また、前記基材は、ばね用ステンレス鋼線からできているため、錆びにくくしかも付勢力が安定的に得られるものである。
【０００７】
更に、前記基材には、略球体が数珠状に挿通されており、そのため本体は凹凸状になっているので該本体を握る動作をすると、掌にあるツボ等を刺激することができ併せてマッサージもできるものである。
【考案の効果】
【０００８】
本考案の請求項１に係る考案によれば、手や指、腕、足等に嵌めるだけで、従来技術とは違って片手で絶えず握り挟み込む必要はなく、所望のマッサージ効果が手間無く容易に得られる。また、例えば車両等を運転しながらでも、デスクで書き取り勉強をしながらでも、事務所でコンピューター入力作業をしながらでも、邪魔にならず何かをしながらの所謂“ながらマッサージ”ができる。
【０００９】
また、請求項２に係る考案によれば、基材自体が錆に強く、付勢力も安定的にあるため、耐久性にメリットがある。
【００１０】
更に、請求項３に係る考案によれば、請求項１記載の考案の奏する効果に加えて、アクリル樹脂等からなる略球体が、略Ｃ字状の基材全域に数珠状に挿通されており、故に本体全体が凹凸になっているので、例えばそれを握るだけで、略球体が掌のツボに当たってマッサージ効果が得られる。
【考案を実施するための最良の形態】
【００１１】
以下、本考案の実施の形態について図面を参照しながら説明する。
【００１２】
図１は、本考案に係る一実施例のブレスレット型マッサージ具の本体１０の側面図である。本考案に係るブレスレット型マッサージ具の本体１０は、略Ｃ字状に湾曲した基材１３の一端１６および他端１８が略対向しており、一端１６および他端１８の何れか一方または両方に略球状の押圧部１５が設けてあり、基材１３の一端１６および他端１８は互いに離間しているが、接近する方向に付勢されている。
【００１３】
基材１３は、ばね用ステンレス鋼線（例えばＳＵＳ３０４ＷＰＢ材）でできており、錆びに強く、曲げ等に対し安定的に付勢力の保持ができ耐久性に優れている。
【００１４】
押圧部１５は、ステンレス製の略球体でできており、該球体の任意の箇所に略半径深さの孔をドリルで１箇所穿孔し、基材１３の一端１６を該孔に挿入し外周側より相当の圧力でかしめ止めし、他端１８も同様の方法で押圧部１５を形成する。
【００１５】
図２は、本考案に係る他の実施例のブレスレット型マッサージ具の本体１０の側面図である。基材１３には、アクリル樹脂等からなる略球体１７が、基材１３の全域にわたって数珠状に挿通されている。略球体１７には一つの貫通孔が形成されており、該貫通孔に基材１３を挿通するが、その貫通孔の直径は基材１３を挿通しても遊動できる程度の直径を有している。
【００１６】
本考案品を使用する際は、一端１６および他端１８を離間する方向に基材１３を開き、手や指などのツボに押圧部１５が当たるように挟み込み使用するものである。特に手の甲には眠気を防止するツボや、冷え性を改善するツボ、自律神経のバランスを整え免疫力を高めるツボなどがあり、本考案品でそのツボを簡単に手間なく、しかも何かの作業等をしながらでもマッサージができるというものである。
【００１７】
また、前述のツボに押圧部１５が当たるように挟み込んで使用する他に、図２の実施例によれば、基材１３に数珠状に挿通されている略球体１７で構成されている本体を、鷲掴みにして何度も握ることで、掌のマッサージができるものである。これは特に高齢者や軽い脳傷害を持っている方のリハビリ促進をするものである。
【００１８】
以上の各実施例に基づいて本考案を説明したが、本考案は上記実施例に何ら限定されるものではなく、種々の改良変形が考察されるものである。
【００１９】
例えば押圧部１５の形状は略球状でなくとも良く、略三角錐状であったり、略台形であっても良く、また押圧部１５の一部に突起を設けてマッサージ効果を向上させたりすることもできる。
【００２０】
また、押圧部１５の外形状だけでなく、素材自体を金やプラチナなどの貴金属にしたり、アルミ材やチタン材、磁石材などにして血行を良くさせるような構成でも良い。
【００２１】
また、押圧部１５の表面を金メッキ加工しても良く、更には押圧部１５を一端１６と他端１８の両端部に設けた場合、一方の押圧部１５の素材を金にして、他方の押圧部１５の素材を銀にしたような、いわゆる電位差が大きく生じるような別素材同士の組み合わせにしても良く、当然ながら該押圧部１５の表面をメッキ加工して同様な効果を得るような構成でも良い。
【００２２】
また、本考案の好ましい形態としては、押圧部１５を一端１６と他端１８の両端部に設けた構造のものを代表的に図示しているが、それに限定されるものではなく、どちらか一方の端部に押圧部１５を設け、他方の端部に平たい円盤状の支持部材（図示せず）や、ゴムやウレタンなどのクッション性の良い材質でできた支持部材を設けても良く、特に腕や足などの比較的厚みのある身体のツボに使用する場合、両端部に押圧部１５を設けてしまうと刺激が強すぎることもあるため、適善に押圧部１５を着脱式に換えられるような構造にしても良い。なお、その際の着脱式の例としては、ネジ式またはピボット式にワンタッチ交換できるようにしても良い。
【００２３】
また、一端１６と他端１８の両端部に設けた押圧部１５同士は、それぞれ空間を隔てて離間しているが、その必要性は全くなく、押圧部１５同士が当接あるいは交差していても良い。
【００２４】
また、略Ｃ字状の基材１３は、略コ字状やＶ字状であっても良く、更には基材１３は形状記憶合金性の素材で構成されて、フレキシブルに折り曲げて使用部位に応じて変形させて使用することもできる。
【００２５】
また、基材１３に挿通されている略球体１７は、大小の略球体１７が交互に挿通されていたり、略球体１７の代わりにそろばんの珠体（図示せず）を挿通したり、略球体１７の外周に突起を設けたりすることも可能であるが、素材自体を真珠や貴金属などにしても良いし、更にはチタン材や磁石材などにして血行を良くさせるような構成にしても良い。
【００２６】
また、基材１３の外形状に拘らず、本考案品を使用しないとき、手首などに嵌めて持ち歩くことができ、必要なときに思い立ったときに忘れずに使用できる。
【００２７】
更に、本考案品の任意の箇所にアクチュエーターや偏心モーターなどの電気的振動器具を取り付けて、バイブレーター式にマッサージ効果を向上させることもできる。
【図面の簡単な説明】
【００２８】
【図１】本考案に係る一実施例のブレスレット型マッサージ具の側面図である。
【図２】本考案に係る他の実施例のブレスレット型マッサージ具の側面図である。
【図３】本考案に係る従来技術を示す側面図である。
【符号の説明】
【００２９】
１０  本体
１３  基材
１５  押圧部
１６  一端
１７  略球体
１８  他端
２０  ハサミ体
２３  バネ
２５  突起
２７  棒
【図１】
0003129298.tif 000003
【図２】
0003129298.tif 000004
【図３】
0003129298.tif 000005